(57)【要約】【目的】廃食用油や水などの液体を効率よく良好に改質、活性化することのできる簡便な処理装置を提供する。【構成】フィルタ７Ａ，７Ｂが収容される濾過槽５と、上端が濾過槽５に接続されてフィルタ７Ａ，７Ｂを透過した液体を濾過槽５の外部に流出せしめる螺旋状の導液パイプ９と、両端が閉鎖された金属製の筒１１内に異種の物質を接触状態で収容することにより構成されて導液パイプ９の内側中心部に配置される柱状の芯体１０とを備える。異種の物質は、二種類の金属１５，１６、又は鉱石１３とセラミック１４から成る。又、導液パイプ９の下端から流出した液体を受ける受液槽１を備える。受液槽１の下部には排液口２が設けられ、その排液口２に所定の長さを有する給送管３が接続される。【選択図】図１
0003125747.tif 000002
【実用新案登録請求の範囲】
【請求項１】
フィルタが収容される濾過槽と、上端が前記濾過槽に接続されて前記フィルタを透過した液体を前記濾過槽の外部に流出せしめる螺旋状の導液パイプと、両端が閉鎖された金属製の筒内に異種の物質を接触状態で収容することにより構成されて前記導液パイプの内側中心部に配置される柱状の芯体と、を具備して成ることを特徴とする液体処理装置。
【請求項２】
異種の物質は、二種類の金属、又は鉱石とセラミックである請求項１記載の液体処理装置。
【請求項３】
導液パイプの下端に、所定の長さを有する給送管が接続されることを特徴とする請求項１、又は２記載の液体処理装置。
【請求項４】
導液パイプの下端から流出した液体を受けるための受液槽を備えることを特徴とする請求項１、又は２記載の液体処理装置。
【請求項５】
受液槽の下部に排液口が設けられ、その排液口に所定の長さを有する給送管が接続されることを特徴とする請求項４記載の液体処理装置。
【考案の詳細な説明】
【技術分野】
【０００１】
本考案は水や油を活性化して改質するための液体処理装置に係わり、特に湯船に供給される温泉水などを活性化させたり、あるいは使用済み食用油などの廃油をバイオディーゼル燃料として再生したりするのに用いられる液体処理装置に関する。
【背景技術】
【０００２】
従来、工場や飲食店、あるいは家庭で使用された天ぷら油などの食用油は、その大半が下水に流されたり、焼却処理されたり、土中に埋められたりしてきたが、下水に廃油を流せば水質汚染を招き、土中に埋めれば土壌汚染、地下水汚染を招いて農産物に悪影響を与えてしまう。又、焼却処分しても、多量の二酸化炭素を発生して大気を汚染してしまうし、焼却炉の炉壁を傷めてしまうという問題がある。
【０００３】
このため、近年では環境保全や資源の有効利用を目的として、廃棄物のリサイクル化が推進されている。
【０００４】
例えば、飲食店などにおける使用済み天ぷら油などを回収し、これを飼料用添加剤、建築用塗料、無添加石鹸などに再生、加工することが行われている。特に、近年において、使用済み天ぷら油などを軽油の代替燃料であるバイオディーゼル燃料（ＢＤＦ）として再生することも行われている。
【０００５】
バイオディーゼル燃料（ＢＤＦ）は、主として廃食用油を分解することにより製される軽油の代替燃料で、既存のディーゼル車を大幅改造せずして使用できることが特徴であるが、一般的には軽油と混合して使用される。
【０００６】
しかし、現在実用化されているバイオディーゼル燃料の製法は、廃食用油にエタノール並びに水酸化ナトリウムを混合し、その混合物をアルカリ触媒に通して脂肪酸メチルエステルを生成するものであるから、大型のプラントを必要として多額の処理コストが掛かってしまうという問題がある。
【０００７】
一方、自動車用の燃料改質装置として、所定の間隔で両側に各一対の磁石を内蔵させ、その一対の磁石と等距離の位置に自動車燃料の配管部分を収容する凹所を形成した成形体を半割りとし、その一端を連結して上記凹所を開放自在とすると共に、他端にそれぞれ結束用の穴を設けてバンド類で固定可能とし、上記凹所に上記配管部分を収納後、上記バンド類で成形体の他端を結束するようにしたものが知られる（例えば、特許文献１）。
【０００８】
又、非磁性耐熱金属から成る２つの収納容器の内壁にヨークを配置すると共に、そのヨークに密着させて厚さ方向に着磁した複数の板状永久磁石を異極配列により積層して収納密封し、その両収納容器の相対向する一方の側面を結合してその両者を中間に燃料パイプが挟持される間隔を保持して開閉可能にし、相対向する他方の側面は直角方向に延長して当該延長部分の中央にナット付ボルトを通す穴を形成したものが知られる（例えば、特許文献２）。
【０００９】
【特許文献１】実開平６−８０８４７号公報（実用新案登録請求の範囲）
【００１０】
【特許文献２】実用新案登録第３１２１６４３号公報（実用新案登録請求の範囲）
【考案の開示】
【考案が解決しようとする課題】
【００１１】
然しながら、特許文献１、２のいずれも自動車の燃料パイプを挟んで当該燃料パイプ中を流れる自動車燃料を磁力作用により活性化させるというものもので、使用済み天ぷら油などの廃食用油をバイオディーゼル燃料として再生するものではない。
【００１２】
特に、特許文献１、２に開示される燃料改質装置は、燃料パイプの一部を挟み込むものであるから、燃料パイプ中の自動車燃料に与えられる磁力の作用は極短時間に過ぎず、このため燃料改質効果が小さいという問題がある。
【００１３】
尚、燃料改質効果を高めるため、燃料パイプを全長に亘って挟み込むことも考えられるが、これには磁力が強く高価な永久磁石を大量に必要とするためコスト高になる。
【００１４】
本考案は以上のような事情に鑑みて成されたものであり、その目的は廃食用油や水などの液体を効率よく良好に改質、活性化することのできる簡便な処理装置を提供することにある。
【課題を解決するための手段】
【００１５】
上記目的を達成するため、本考案に係る液体処理装置は、フィルタが収容される濾過槽と、上端が前記濾過槽に接続されて前記フィルタを透過した液体を前記濾過槽の外部に流出せしめる螺旋状の導液パイプと、両端が閉鎖された金属製の筒内に異種の物質を接触状態で収容することにより構成されて前記導液パイプの内側中心部に配置される柱状の芯体と、を具備して成ることを特徴とする。
【００１６】
加えて、異種の物質が二種類の金属、又は鉱石とセラミックであることを特徴とし、しかも導液パイプの下端に、所定の長さを有する給送管が接続されることを特徴とする。
【００１７】
又、導液パイプの下端から流出した液体を受けるための受液槽を備えること、及び当該受液槽の下部に排液口が設けられ、その排液口に所定の長さを有する給送管が接続されることを特徴とする。
【考案の効果】
【００１８】
本考案に係る液体処理装置によれば、両端が閉鎖された金属製の筒内に異種の物質を接触状態で収容して成る柱状の芯体が、螺旋状の導液パイプの内側中心部に配置されることから、異種の物質の接触電位差にもとづき発生する微弱電流を導液パイプ内に流される液体に作用させ、これにより液体を活性化して改質することができる。
【００１９】
特に、導液パイプが螺旋状を成して芯体を取り囲む構成とされることから、芯体から発せられる微弱電流を導液パイプ中の液体に長らく作用せしめることができる。このため、装置コスト並びに処理コストを抑制しながら、液体の改質効果を高めることができる。
【００２０】
又、導液パイプの上端がフィルタ付の濾過槽に接続されることから、導液パイプに流される液体中から固形不純物を予め除去して液体を浄化することができる。
【００２１】
加えて、導液パイプの下端に所定の長さを有する給送管が接続されることから、処理済みの液体を、給送管を通じて所定の場所まで連続供給することができる。
【００２２】
又、導液パイプの下端から流出した液体を受けるための受液槽を備えるものでは、その受液槽内に溜まった処理済み液体の必要量を適宜取り出して使用することができる。
【００２３】
更に、受液槽の下部に排液口が設けられ、その排液口に所定の長さを有する給送管が接続されるものでは、その給送管を通じて受液槽内の処理済み液体を所定の場所まで連続供給することができる。
【考案を実施するための最良の形態】
【００２４】
以下、図面に基づいて本考案を詳しく説明する。図１は、本考案に係る液体処理装置の構成例を示す概略図である。図１において、１は所定の容積を有する受液槽であり、その下部側面には排液口２が設けられ、その排液口２に給送管３が接続される構成となっている。
【００２５】
尚、本例において、給送管３は、排液口２に直結される硬質管３Ａと該硬質管の先端に接続されるフレキシブル管３Ｂとから成り、硬質管３Ａには流路の開閉操作を可能とするバルブ４が設けられる。
【００２６】
一方、受液槽１の上部には濾過槽５が配置される。特に、本例によれば、受液槽１の上端に部分的に開口せしめた上蓋６が取り付けられ、その開口部分に濾過槽５が嵌め込まれて支持されるようになっている。
【００２７】
濾過槽５は、処理すべき液体（水または油）を濾過するためにその内部に２つのフィルタ７Ａ，７Ｂを収容したもので、当該濾過槽５の上端には上方に向かってテーパ状に広がるホッパ部８が形成され、そのホッパ部８を通じて濾過槽５内に液体を流し込めるようにしてある。
【００２８】
又、フィルタ７Ａ，７Ｂは、上下に所定の間隔をあけて配置される。このうち、上方のフィルタ７Ａはステンレス製の網状構造物であり、下方のフィルタ７Ｂはフィルタ７Ａよりも網目の小さい濾紙にして適宜交換可能とされる。
【００２９】
ここに、濾過槽５の下方には螺旋状に巻かれた導液パイプ９が設けられる。この導液パイプ９は金属製であり、その上端は濾過槽５の底面部に接続されて該導入パイプ９と濾過槽５との内部が連通されている。そして、濾過槽５内のフィルタ７Ａ，７Ｂを透過した液体（濾液）が重力の作用により導液パイプ９内に送り込まれ、これが導液パイプ９内を通って旋回されつつ流下されて当該導液パイプ９の下端から受液槽１内に順次流出するようにしてある。尚、受液槽１内に溜まった液体は、バルブ４の開放操作を行うことで受液槽１から必要量を取り出したり、これを給送管３にて所定の場所まで供給したりすることができるが、給送管３にポンプを介在せしめるようにしてもよい。
【００３０】
特に、導液パイプ９の内側中心部には、微弱電流を発生する円柱状の芯体１０が配置され、この芯体１０から発せられた微弱電流が導液パイプ９内を流れる液体に作用して該液体を活性化させ得るようになっている。
【００３１】
尚、本例によれば、芯体１０はその上端が濾過槽５の底面に溶接などにて固着されるようにしてあるが、これを導液パイプ９の内側中心部となる位置で受液槽１の底面部に固着するようにしてもよい。
【００３２】
係る芯体１０の構造を図２により詳しく説明すると、１１は芯体１０の外装を成す円筒形の筒であり、その両端はキャップ１２にて閉鎖される。
【００３３】
筒１１とキャップ１２はステンレス鋼やアルミ合金（Ａｌ−Ｍｎ合金、Ａｌ−Ｓｉ合金、Ａｌ−Ｍｇ合金、Ａｌ−Ｍｇ−Ｓｉ合金、Ａｌ−Ｚｎ−Ｍｇ合金）などの金属製であり、当該筒１１内には異種の物質として鉱石１３とセラミック１４が収容される。特に筒１１の両側にはセラミック１４が収容され、その間に鉱石１３が収容される。尚、筒１１の一端側に鉱石１３を収容するとともに、他端側にセラミック１４を収容するようにしてもよい。
【００３４】
ここに、鉱石１３としては、例えば斑レイ岩、閃緑岩、閃長岩などの等粒状構造を示す深成岩、好ましくはその一種である花崗岩（御影石）、又はトルマリン（電気石）や戸室石などが用いられる。
【００３５】
又、セラミック１４としては、例えばガラスセラミックス（Ｌｉ２Ｏ−Ａｌ２Ｏ３−ＳｉＯ２系、ＭｇＯ−Ａｌ２Ｏ３−ＳｉＯ２系、ＰｂＯ−ＺｎＯ−Ｂ２Ｏ３系、ＳｉＯ２−Ａｌ２Ｏ３−ＣａＯ−ＺｎＯ−ＢａＯ−Ｎａ２Ｏ系）が用いられる。
【００３６】
そして、以上のように構成される芯体１０によれば、導液パイプ９内を流れる液体を改質、活性化することができる。その原因は今のところ必ずしも明確でないが、異種の物質（本例において鉱石１３とセラミック１４）の接触による電位差に基づく接触電気現象（ヴォルタ効果）により微弱電流が発生し、これに起因してマイナスイオンビーム（フォトン）が外部に放射され、その微弱電流、フォトンが導液パイプ９内の液体に直接作用して液体のクラスタを破壊するためと考えられる。尚、鉱石１３として花崗岩、戸室石、トルマリンを用いれば、マイナスイオン、遠赤外線を多く発生せしめることもできる。
【００３７】
ここに、異種の物質は上記のような鉱石１４とセラミック１４に限るものでなく、２種類の金属を用いることもできる。異種金属は塊状でも板状でもよいが、図３のように異種金属１５，１６をそれぞれ接触面積の大きな板状にして、その両者１５，１６を密着させた状態でロール状に丸めて筒１１内に収容することが好ましい。
【００３８】
又、係る異種金属１５，１６には様々な組み合わせが考えられるが、その組み合わせとしてチタンと銅、銅と錫、銅とニッケル、銅と鉄、銅とマグネシウム、銅と亜鉛、銅と鉛、銅と金、銅と銀、銅と白金、銅とパラジウム、銅とコバルト、錫とチタン、錫とニッケル、錫と鉄、錫とマグネシウム、錫と亜鉛、錫と鉛、錫と金、錫と銀、錫と白金、錫とパラジウム、錫とコバルト、ニッケルとチタン、ニッケルと鉄、ニッケルとマグネシウム、ニッケルと亜鉛、ニッケルと鉛、ニッケルと金、ニッケルと銀、ニッケルと白金、ニッケルとパラジウム、ニッケルとコバルト、鉄とチタン、鉄とマグネシウム、鉄と亜鉛、鉄と鉛、鉄と金、鉄と銀、鉄と白金、鉄とパラジウム、鉄とコバルト、マグネシウムとチタン、マグネシウムと亜鉛、マグネシウムと鉛、マグネシウムと金、マグネシウムと銀、マグネシウムと白金、マグネシウムとパラジウム、マグネシウムとコバルト、亜鉛とチタン、亜鉛と鉛、亜鉛と金、亜鉛と銀、亜鉛と白金、亜鉛とパラジウム、亜鉛とコバルト、鉛とチタン、鉛と金、鉛と銀、鉛と白金、鉛とパラジウム、鉛とコバルト、金とチタン、金と銀、金と白金、金とパラジウム、金とコバルト、銀とチタン、銀と白金、銀とパラジウム、銀とコバルト、白金とチタン、白金とパラジウム、白金とコバルト、パラジウムとチタン、パラジウムとコバルト、チタンとコバルトなどが考えられる。
【００３９】
そして、そのような異種金属１５，１６を接触状態で筒１１内に収容したものでも、発生する微弱電流を導液パイプ９内の液体に作用せしめてその改質、活性化を促すことができる。
【００４０】
ここで、廃食用油（使用済み天ぷら油）をホッパ部８に注ぎ、導液パイプ９の下端から流出された処理液（油）を受液槽１内から取り出して軽油に混合（混合率５０％）し、その混合油を用いてディーゼル車の走行試験を行ったところ、軽油１００％の燃料の場合と同じく何の支障もなく走行することができた。寧ろ、排ガスの臭いは軽減され、黒煙の発生も減少した。
【００４１】
以上、本考案について説明したが、係る液体処理装置は上記例に限らず、例えば給送管３を省略するようにしてもよく、この場合でも手動ポンプなどを用いて受液槽１内から処理済みの液体を取り出すことができる。
【００４２】
又、受液槽１に代えて、図４のような架台２０により濾過槽５を所定の高さ位置に保持すると共に、導液パイプ９の下端に給送管３を直結するようにしてもよい。
【００４３】
更に、係る装置は、被処理液として水道水や温泉水などの水（湯を含む）を処理することにも好適に用いることができ、温泉水では本装置で処理したものを湯船に供給することにより入浴者の身体機能の回復を促す効果を期待できる。
【図面の簡単な説明】
【００４４】
【図１】本考案に係る液体処理装置を部分的に破断して示した概略図
【図２】同装置を構成する芯体の内部構造を示す説明図
【図３】芯体内における異種の物質の変更例を示す斜視図
【図４】本考案に係る液体処理装置の変更例を示す側面概略図
【符号の説明】
【００４５】
１  受液槽
２  排液口
３  給送管
５  濾過槽
７Ａ，７Ｂ  フィルタ
９  導液パイプ
１０  芯体
１１  筒
１２  キャップ
１３  鉱石
１４  セラミック
１５，１６  異種金属
【図１】
0003125747.tif 000003
【図２】
0003125747.tif 000004
【図３】
0003125747.tif 000005
【図４】
0003125747.tif 000006